(57)【特許請求の範囲】
【請求項１】
昆虫が侵入可能な大きさの開口を有する本体と、前記昆虫を誘引する光を前記開口側に向けて照射する主誘引光源と、前記主誘引光源により誘引された前記昆虫を捕獲する捕虫手段とを備え、前記本体の内部に前記主誘引光源及び前記捕虫手段が外部から視認不能な状態で配置される捕虫器において、
外部から視認可能な状態で前記本体における前記開口の外側に配置され、異なった光特性を持つ隣接した２つの領域からなり、前記領域のうち相対的に輝度が低い低輝度領域が帯状であるコントラスト強調部をその表面に有し、能動的または受動的な発光により前記昆虫を誘引する補助誘引構造部を備えるとともに、
前記補助誘引構造部の発する光による誘引力が、前記主誘引光源の発する光による誘引力よりも低くなるように設定されている
ことを特徴とする捕虫器。
【請求項２】
前記本体は、前記主誘引光源が配置される光源側部分と、前記捕虫手段が配置される捕虫側部分とに分離交換可能であることを特徴とする請求項１に記載の捕虫器。
【請求項３】
昆虫が侵入可能な大きさの開口を有し、前記昆虫を誘引する光を前記開口側に向けて照射する主誘引光源を配置可能な光源配置部が設けられた本体と、前記主誘引光源により誘引された前記昆虫を捕獲する捕虫手段とを備え、前記光源配置部に前記主誘引光源を配置したときに、前記本体の内部に前記主誘引光源の発光部及び前記捕虫手段が外部から視認不能な状態で配置可能な捕虫器において、
外部から視認可能な状態で前記本体における前記開口の外側に配置され、異なった光特性を持つ隣接した２つの領域により構成され、前記領域のうち相対的に輝度が低い低輝度領域が帯状であるコントラスト強調部をその表面に有し、能動的または受動的な発光により前記昆虫を誘引する補助誘引構造部を備えるとともに、
前記補助誘引構造部の発する光による誘引力が、前記主誘引光源の発する光による誘引力よりも低くなるように設定されている
ことを特徴とする捕虫器。
【請求項４】
前記補助誘引構造部は、前記主誘引光源からの光を受けて反射光を発する反射体、または前記主誘引光源からの光を受けて蛍光を発する蛍光体を含んで構成されることを特徴とする請求項１乃至３のいずれか１項に記載の捕虫器。
【請求項５】
前記補助誘引構造部と前記主誘引光源とにおける前記誘引力の差は、前記コントラスト強調部を構成する前記２つの領域のうち、相対的に輝度が高い高輝度領域の光強度を前記主誘引光源の光強度の１％以上８０％未満に設定することによって、設けられていることを特徴とする請求項４に記載の捕虫器。
【請求項６】
前記補助誘引構造部が前記反射体である場合、
前記補助誘引構造部と前記主誘引光源とにおける前記誘引力の差は、前記主誘引光源の発する光の波長帯よりも長波長側に狭い波長帯の前記反射光を発する前記反射体を用いることによって、設けられている
ことを特徴とする請求項４に記載の捕虫器。
【請求項７】
前記補助誘引構造部が前記蛍光体である場合、
前記補助誘引構造部と前記主誘引光源とにおける前記誘引力の差は、
前記主誘引光源の発する光の波長帯に含まれる励起光の波長よりも長波長側の波長の前記蛍光を発する前記蛍光体を用いることによって、設けられている
ことを特徴とする請求項４に記載の捕虫器。
【請求項８】
前記開口は前記本体の底面に設けられ、
前記補助誘引構造部は、前記本体における前記開口の外側かつ下方に配置されている
ことを特徴とする請求項１乃至７のいずれか１項に記載の捕虫器。
【請求項９】
前記補助誘引構造部は、頂部が上を向くように配置された略錐体であることを特徴とする請求項８に記載の捕虫器。
【発明の詳細な説明】
【技術分野】
【０００１】
本発明は、主として飛翔性の昆虫を光で誘引して捕獲する捕虫器に関するものである。
【背景技術】
【０００２】
従来、主として飛翔性の昆虫を光で誘引して捕獲する捕虫器がよく知られている。一般的に昆虫は、３００ｎｍ〜４００ｎｍの紫外線の帯域の中でも、特に３５０ｎｍ〜３８０ｎｍの波長の光に誘引されることが知られている。そして、捕虫器内部の誘引光源に誘引された昆虫は、誘引光源の周囲に設置された粘着板や電撃装置などの捕獲手段により捕獲され、殺虫されるようになっている。
【０００３】
捕虫器等を用いた従来の捕虫技術としては、例えば、特許文献１に開示された「殺虫装置」が知られている。この殺虫装置は最も内側に位置するＬＥＤユニットから電撃格子、最も外側に位置するガード部の順に入れ子状に配置されている。ここでガード部は網目状に配置されているため、電撃格子は外側から視認できる。このような捕虫器の構造では、捕獲された昆虫が視認できたり、昆虫が捕獲される瞬間が視認できたりしてしまう。よって、例えば飲食店や食品小売店等のように清潔さが求められる店舗においては、客が捕虫器の設置に気付いたときに不潔で不快な印象を抱くことがある。
【０００４】
また、特許文献２に開示された「捕獲器」は、捕獲器の軸を中心とする全周の表面に、捕獲手段として粘着層を備えている。このような構造の場合、工場や一般家庭においても、捕獲された昆虫が視認されてしまうため、利用者が不快感を抱くことになる。また、捕獲手段が捕虫器の外部に近い位置に配置されていることで、捕虫された昆虫が逃げ出したり、周囲に虫の死骸が飛び散ったりするという問題も生じる。
【０００５】
一方、誘引光源と捕獲手段とを捕虫器の内部に配置した場合には、誘引光源が捕獲対象である昆虫からも視認されにくくなるので、捕獲性能が低下する可能性が高い。このため、昆虫にとって視認性が高く捕獲性能が高いことと、人間にとって視認性が低く隠蔽性が高いこととの両立が、捕虫器に求められていた。
【０００６】
これらの問題に対処するためには、昆虫の捕虫器近傍への誘引と、近傍から捕獲部への誘導とを兼ね備えた構造が必要とされる。例えば、特許文献３には、誘引光を反射板に反射させることにより、効率よく前面開口部から光を出射させることが可能な「捕獲器」が開示されている。しかし、その構造の誘虫性への効果や捕獲手段への誘導に関する効果については明記されていない。
【０００７】
また、特許文献４には、光源の上部に高反射の反射板を配置することで、反射板を第２の光源として、誘虫のための光を広範囲に照射して誘引効率を高めることが可能な「誘虫捕獲装置」が開示されている。この反射板は、３４０ｎｍ〜３８０ｎｍの波長の光に対する全反射率が５０％以上で、光拡散率が３０％以上となるように構成されている。
【０００８】
特許文献５には、誘引光源の上方に反射誘引部を備える「害虫防除装置」が開示されている。ただし、その反射特性は光の一部または全部を反射する反射特性とされており、誘導のための特別な工夫がなされているものではない。
【０００９】
特許文献６には、光源とは別に反射拡散板を配置した「害虫防除器具及びその取付構造」が開示されている。しかし、その機能特性は明記されておらず、誘導は気流と負の重力走性とによって行われるとされている。
【００１０】
特許文献７には、反射鏡を備えるとともに、それに加えて光源側に略４００ｎｍ以上４５０ｎｍ以下の波長の光で励起される蛍光体を塗布した光学フィルタを備えた「捕虫器」が開示されている。この捕虫器は、蛍光体の光が反射鏡ではとらえにくい捕獲器下方に飛翔している昆虫に対して、高い誘引効果を持つとされている。
【先行技術文献】
【特許文献】
【００１１】
【特許文献１】特開２０１１−２５４７１４号公報
【特許文献２】特開２０１０−２７９２５４号公報
【特許文献３】特開２００７−１３５５２７号公報
【特許文献４】特開２００８−２９２０６号公報
【特許文献５】特開２００８−１５４５１９号公報
【特許文献６】特開２００７−２８９０５３号公報
【特許文献７】特開２００８−１５４５００号公報
【発明の概要】
【発明が解決しようとする課題】
【００１２】
しかしながら、特許文献１〜７に示す従来既存の捕虫技術では、反射体や蛍光体への昆虫の定着が予想され、また遠距離から昆虫を十分に誘引できない可能性がある。そこで、主誘引光源を装置内部に収容した捕虫器において、より効果的に捕虫器の近傍に昆虫を誘引し、かつ誘引された昆虫をより効果的に捕獲手段へ誘導する技術が求められている。
【００１３】
本発明は上記の課題に鑑みてなされたものであり、その目的は、主誘引光源を本体内部に隠しながらも遠距離からの昆虫の誘引を可能にしつつ、装置近傍に昆虫が留まらずに確実に本体内部の捕虫手段まで誘導することができる捕虫器を提供することにある。
【課題を解決するための手段】
【００１４】
上記課題を解決するための手段を下記［１］〜［９］に列挙する。
【００１５】
［１］昆虫が侵入可能な大きさの開口を有する本体と、前記昆虫を誘引する光を前記開口側に向けて照射する主誘引光源と、前記主誘引光源により誘引された前記昆虫を捕獲する捕虫手段とを備え、前記本体の内部に前記主誘引光源及び前記捕虫手段が外部から視認不能な状態で配置される捕虫器において、外部から視認可能な状態で前記本体における前記開口の外側に配置され、異なった光特性を持つ隣接した２つの領域からなり、前記領域のうち相対的に輝度が低い低輝度領域が帯状であるコントラスト強調部をその表面に有し、能動的または受動的な発光により前記昆虫を誘引する補助誘引構造部を備えるとともに、前記補助誘引構造部の発する光による誘引力が、前記主誘引光源の発する光による誘引力よりも低くなるように設定されていることを特徴とする捕虫器。
【００１６】
上記手段１に係る発明によると、主誘引光源及び捕虫手段については装置外部から視認不能な状態で本体内部に配置されている一方、補助誘引構造部については本体における開口の外側にて視認可能な状態で配置されている。よって、昆虫は、表面にコントラスト強調部を付与した補助誘引構造部の発する光の誘引力によって、まず補助誘引構造部に誘引される。すると、補助誘引構造部の表面近傍に到った昆虫にとって、主誘引光源の発する光が直接的に視認可能となる。次に、その昆虫は主誘引光源の発する光に誘引されて開口から本体の内部に入り込み、最終的に捕虫手段によって捕獲される。この場合、補助誘引構造部の発する光による誘引力が、主誘引光源の発する光による誘引力よりも低くなるように設定されているため、誘引された昆虫は、補助誘引構造部に留まらずに確実に本体内部の捕虫手段まで誘導される。
【００１７】
［２］前記本体は、前記主誘引光源が配置される光源側部分と、前記捕虫手段が配置される捕虫側部分とに分離交換可能であることを特徴とする手段１に記載の捕虫器。
【００１８】
従って、上記手段２に係る発明によると、例えば、主誘引光源が故障等した場合に光源側部分を交換したり、捕虫手段が汚損、劣化等した場合に捕虫側部分を交換したりすることが可能となる。ゆえに、光源側部分と捕虫側部分とが分離不能な一体構造である場合に比べてメンテナンスが容易になり、利便性が向上する。
【００１９】
［３］昆虫が侵入可能な大きさの開口を有し、前記昆虫を誘引する光を前記開口側に向けて照射する主誘引光源を配置可能な光源配置部が設けられた本体と、前記主誘引光源により誘引された前記昆虫を捕獲する捕虫手段とを備え、前記光源配置部に前記主誘引光源を配置したときに、前記本体の内部に前記主誘引光源の発光部及び前記捕虫手段が外部から視認不能な状態で配置可能な捕虫器において、外部から視認可能な状態で前記本体における前記開口の外側に配置され、異なった光特性を持つ隣接した２つの領域により構成され、前記領域のうち相対的に輝度が低い低輝度領域が帯状であるコントラスト強調部をその表面に有し、能動的または受動的な発光により前記昆虫を誘引する補助誘引構造部を備えるとともに、前記補助誘引構造部の発する光による誘引力が、前記主誘引光源の発する光による誘引力よりも低くなるように設定されていることを特徴とする捕虫器。
【００２０】
従って、上記手段３に係る発明によると、例えば光源配置部に主誘引光源を配置した場合には、主誘引光源の発光部及び捕虫手段については、装置外部から視認不能な状態で本体内部に配置されることになる。一方、補助誘引構造部については、本体における開口の外側にて視認可能な状態で配置されている。よって、昆虫は、表面にコントラスト強調部を付与した補助誘引構造部の発する光の誘引力によって、まず補助誘引構造部に誘引される。すると、補助誘引構造部の表面近傍に到った昆虫にとって、主誘引光源の発する光が直接的に視認可能となる。次に、その昆虫は主誘引光源の発する光に誘引されて開口から本体の内部に入り込み、最終的に捕虫手段によって捕獲される。この場合、補助誘引構造部の発する光による誘引力が、主誘引光源の発する光による誘引力よりも低くなるように設定されているため、誘引された昆虫は、補助誘引構造部に留まらずに確実に本体内部の捕虫手段まで誘導される。
【００２１】
［４］前記補助誘引構造部は、前記主誘引光源からの光を受けて反射光を発する反射体、または前記主誘引光源からの光を受けて蛍光を発する蛍光体を含んで構成されることを特徴とする手段１乃至３のいずれか１項に記載の捕虫器。
【００２２】
従って、上記手段４に係る発明によると、補助誘引構造部の発する反射光または蛍光によって、昆虫が補助誘引構造部に誘引される。また、補助誘引構造部に発光のための手段を設ける必要がないことから、能動的な発光により昆虫を誘引する補助誘引構造部を採用した場合に比べて、装置構成を簡略化することができる。
【００２３】
［５］前記補助誘引構造部と前記主誘引光源とにおける前記誘引力の差は、前記コントラスト強調部を構成する前記２つの領域のうち、相対的に輝度が高い高輝度領域の光強度を前記主誘引光源の光強度の１％以上８０％未満に設定することによって、設けられていることを特徴とする手段４に記載の捕虫器。
【００２４】
従って、上記手段５に係る発明によると、補助誘引構造部と主誘引光源とにおける誘引力の差が好適範囲となる結果、遠距離から昆虫を十分に誘引しつつ、補助誘引構造部に対する昆虫の定着を十分に防止することが可能となる。高輝度領域の光強度が主誘引光源の光強度の１％未満であると、補助誘引構造部と主誘引光源とにおける誘引力の差が大きくなりすぎて、遠距離から昆虫を十分に誘引できなくなる可能性がある。逆に、８０％以上であると、補助誘引構造部と主誘引光源とにおける誘引力の差が小さくなりすぎて、昆虫が主誘引光源に誘引されにくくなり、補助誘引構造部に対する昆虫の定着を十分に防止できなくなるおそれがある。なお、高輝度領域の光強度は、主誘引光源の光強度の１％以上５０％未満に設定されることが好ましく、１０％以上４０％未満に設定されることがより好ましい。
【００２５】
［６］前記補助誘引構造部が前記反射体である場合、前記補助誘引構造部と前記主誘引光源とにおける前記誘引力の差は、前記主誘引光源の発する光の波長帯よりも長波長側に狭い波長帯の前記反射光を発する前記反射体を用いることによって、設けられていることを特徴とする手段４に記載の捕虫器。
【００２６】
従って、上記手段６に係る発明によると、このような反射特性の反射体を用いることによって、好適な誘引力の差を比較的容易に付与することが可能となる。
【００２７】
［７］前記補助誘引構造部が前記蛍光体である場合、前記補助誘引構造部と前記主誘引光源とにおける前記誘引力の差は、前記主誘引光源の発する光の波長帯に含まれる励起光の波長よりも長波長側の波長の前記蛍光を発する前記蛍光体を用いることによって、設けられていることを特徴とする手段４に記載の捕虫器。
【００２８】
従って、上記手段７に係る発明によると、このような励起特性の蛍光体を用いることによって、好適な誘引力の差を比較的容易に付与することが可能となる。
【００２９】
［８］前記開口は前記本体の底面に設けられ、前記補助誘引構造部は、前記本体における前記開口の外側かつ下方に配置されていることを特徴とする手段１乃至７のいずれか１項に記載の捕虫器。
【００３０】
従って、上記手段８に係る発明によると、装置の下方、斜め前下方あるいは前方を含む範囲に補助誘引構造部の光が発せられることから、当該方向にいる昆虫を効率よく誘引することができる。また、開口が本体の底面に設けられていることから本体内部への塵、埃、雨水などの侵入を防止することできるほか、例えば床や地面から離れた箇所への設置に適したものとすることができる。
【００３１】
［９］前記補助誘引構造部は、頂部が上を向くように配置された略錐体であることを特徴とする手段８に記載の捕虫器。
【００３２】
従って、上記手段９に係る発明によると、捕虫器周辺のより広い範囲に補助誘引構造部の光が拡散されることから、補助誘引構造部の周囲にいる昆虫を効率よく誘引することができる。
【発明の効果】
【００３３】
以上詳述したように、請求項１〜９に記載の発明によると、主誘引光源を本体内部に隠しながらも遠距離からの昆虫の誘引を可能にしつつ、装置近傍に昆虫が留まらずに確実に本体内部の捕虫手段まで誘導することができる捕虫器を提供することができる。
【図面の簡単な説明】
【００３４】
【図１】（ａ）は本発明を具体化した第１実施形態の捕虫器を正面側から見たときの概略斜視図、（ｂ）は同じく概略分解斜視図。
【図２】（ａ）は第１実施形態の捕虫器を背面側から見たときの概略斜視図、（ｂ）は同じく概略分解斜視図。
【図３】第１実施形態の捕虫器の設置状態を示す概略縦断面図。
【図４】（ａ）は本発明を具体化した第２実施形態の捕虫器の正面図、（ｂ）は同じく概略縦断面図。
【図５】本発明を具体化した第３実施形態の捕虫器の縦断面図。
【図６】第３実施形態にて行った実験の内容を説明するための概略図。
【図７】（ａ）〜（ｃ）は上記実験の結果を示すグラフ。
【図８】（ａ）〜（ｄ）は別の実施形態における捕虫器の正面図。
【図９】（ａ），（ｂ）は別の実施形態における捕虫器の概略縦断面図。
【図１０】（ａ），（ｂ）は別の実施形態における捕虫器の概略縦断面図。
【図１１】（ａ），（ｂ）は別の実施形態における捕虫器の概略縦断面図。
【図１２】別の実施形態における捕虫器の設置状態を示す概略縦断面図。
【図１３】別の実施形態における捕虫器の設置状態を示す概略縦断面図。
【図１４】別の実施形態における捕虫器の設置状態を示す概略縦断面図。
【発明を実施するための形態】
【００３５】
［第１の実施の形態］
以下、本発明を具体化した第１実施形態の捕虫器を図１〜図３に基づき詳細に説明する。
【００３６】
本実施形態の捕虫器１１は、主として店舗や工場などの中で使用することを想定した壁掛け式の捕虫器１１である。
【００３７】
図１〜図３に示されるように、この捕虫器１１は、本体１２、主誘引光源１３、捕虫手段１４等を備えている。本体１２は、昆虫Ｍ（主として飛翔性の昆虫）が侵入可能な大きさの開口１６を底面に有する筐体であり、図３に示すように背面部１８が壁Ｗ１に固定されるようになっている。本実施形態の本体１２においては、背面部１８と、それ以外の部分（即ち、前面部、上面部及び両側面部からなる本体主要部）とが互いに分離可能な構成となっている。なお、この本体主要部は、背面部１８及びそれに固定される各種部品を覆い隠すための着脱可能なカバー部材と把握することもできる。図１、図２においては、説明の便宜上、背面部１８を取り外した状態が示されている。本体１２は光Ｌ１を確実に遮蔽することができる任意の材料により形成され、例えば金属や合成樹脂等の材料を用いて構成されている。
【００３８】
ちなみに、上記の遮光性の条件を満たすものであれば、例えば紙や木などの材料を用いることも許容される。本体１２の形状は特に限定されないが、本実施形態においては正面視で横幅の大きい長方形状とされている。
【００３９】
図３等に示されるように、本体１２の内部には主誘引光源１３及び捕虫手段１４が外部から視認不能な状態で配置されている。本実施形態において主誘引光源１３は、本体１２の背面部１８における内面側に横置き状態で取り付けられている。この主誘引光源１３は、３００ｎｍ〜７００ｎｍ程度の光Ｌ１を開口１６側に向けて照射することができる。ちなみに、この主誘引光源１３は、昆虫Ｍを強く誘引する紫外域（３４０ｎｍ〜４００ｎｍ）の光Ｌ１を含んでいる。本体１２の内部には主誘引光源１３の点灯制御に必要な電子機器等を備えた電子機器ユニット１５（具体的には、制御基板、電源、安定器など）が収容されている。この電子機器ユニット１５は、主誘引光源１３の光Ｌ１を遮らないように、主誘引光源１３よりも上部位置（即ち、開口１６からみて奥側となる位置）にて背面部１８における内面側に取り付けられている。
【００４０】
捕虫手段１４は主誘引光源１３により誘引された昆虫Ｍを捕獲するための部材または部位であって、例えば、粘着式、乾式、電撃式、水盤式、吸引式のもの等を使用することができる。本実施形態では、例えば板状をなす粘着式の捕虫手段１４を２つ採用し、主誘引光源１３を挟んでそれらを前後に配置するとともに、後方に配置したものを背面部１８における内面側に取り付け、前方に配置したものを前面部における内面側に取り付けている。なお、このような粘着式の捕虫手段１４は、本体１２から取り外しが可能であり、適宜交換することができるようになっている。粘着式の捕虫手段１４は、電力を必要としないので電撃式に比べて経済的であるというメリットがある。また、乾式のものでは一旦捕獲した昆虫Ｍが出て行ってしまう可能性があるが、粘着式の捕虫手段１４では捕獲した昆虫Ｍを逃がさずに留めておくことができるというメリットもある。
【００４１】
この捕虫器１１は、主誘引光源１３に加えて補助誘引構造部１７を備えている。補助誘引構造部１７は本体１２における開口１６の外側かつ下方にて視認可能な状態で配置され、その上端部が背面部１８における内面側の下縁中央部に固定されている。本実施形態の補助誘引構造部１７は、斜め上方向を向いた傾斜面を表面に有するとともに、上端部から下端部にいくに従って幅広となる略扇形状の部材であって、例えば光Ｌ１を反射可能なアルミ拡散反射板などを用いて構成されている。なお、補助誘引構造部１７はアルミニウム以外の材料を用いて構成されていても勿論よい。
【００４２】
補助誘引構造部１７は、異なった光特性を持つ隣接した２つの領域Ｒ１，Ｒ２からなるコントラスト強調部Ｃ１（以下「視覚的エッジ」とも称する）をその表面に有している。なお、コントラスト強調部Ｃ１は、図１（ａ），図３では描かれているが、図１（ｂ），図２（ａ），図２（ｂ）では省略された状態とされている。上記の「２つの領域」とは、例えば、相対的に輝度が高い高輝度領域Ｒ１、相対的に輝度が低い低輝度領域Ｒ２のことをそれぞれ意味している。そして、このような補助誘引構造部１７は、主誘引光源１３からの光Ｌ１によって受動的に発光し、その受動的な発光により昆虫Ｍを誘引するようになっている。なお、この補助誘引構造部１７では、下端側にて水平方向に延びる帯状の低輝度領域Ｒ２が形成され、それよりも上側が高輝度領域Ｒ１となっている。ここでは、高輝度領域Ｒ１の面積は低輝度領域Ｒ２の面積と同程度に設定されているが、両者の面積比率は任意に設定することができる。
【００４３】
この捕虫器１１では、補助誘引構造部１７の発する光Ｌ２による誘引力が、主誘引光源１３の発する光Ｌ１による誘引力よりも低くなるように設定されている必要がある。より具体的にいうと、補助誘引構造部１７と主誘引光源１３とにおける誘引力の差は、上記２つの領域Ｒ１，Ｒ２のうち、相対的に輝度が高い高輝度領域Ｒ１の光強度を主誘引光源１３の光強度の１％以上８０％未満に設定することによって、設けられている。なお本実施形態では、高輝度領域Ｒ１の光強度を主誘引光源１３の光強度の３０％〜４０％程度に設定している。
【００４４】
このほかにも、補助誘引構造部１７と主誘引光源１３とにおける誘引力の差は、補助誘引構造部１７と主誘引光源１３とにおいて発する光Ｌ１，Ｌ２の波長の違いによって設けることができる。
【００４５】
例えば、補助誘引構造部１７が反射体を含んで構成される場合、誘引力の差は、主誘引光源１３の発する光Ｌ１の波長帯よりも長波長側に狭い波長帯の反射光Ｌ２を発する反射体を用いることによって、設けることができる。
【００４６】
具体的にいうと、本実施形態の主誘引光源１３の発する光Ｌ１は、昆虫Ｍを強く誘引する紫外域（３４０ｎｍ〜４００ｎｍ）の波長帯を含んでいるが、反射光Ｌ２のなかに当該波長帯を含まないような反射体を用いて補助誘引構造部１７を構成してもよい。即ち、４００ｎｍ〜７００ｎｍ程度の波長帯のみを含む反射体を用いて補助誘引構造部１７を構成してもよい。あるいは、紫外域の波長帯を含まない主誘引光源１３において、例えば主誘引光源１３の発する光の波長帯が４００ｎｍ〜７００ｎｍであれば、反射光Ｌ２のなかに４８０ｎｍ〜７００ｎｍの波長帯のみを含む反射体を用いて補助誘引構造部１７を構成してもよい。この場合、補助誘引構造部１７の表面に当該反射体を塗布、貼付等により設けてもよいほか、当該反射体そのものを補助誘引構造部１７としてもよい。
【００４７】
また、補助誘引構造部１７が蛍光体を含んで構成される場合、誘引力の差は、主誘引光源１３の発する光Ｌ１の波長帯に含まれる励起光の波長よりも長波長側の波長の蛍光を発する蛍光体を用いることによって、設けることができる。具体的にいうと、本実施形態の主誘引光源１３の発する３００ｎｍ〜７００ｎｍ程度の光Ｌ１のうち、３００ｎｍ〜５００ｎｍの波長帯の光Ｌ１により励起されて、その励起光よりも長波長側の波長帯の蛍光Ｌ２を発する蛍光体を用いて補助誘引構造部１７を構成してもよい。この場合、補助誘引構造部１７の表面に当該蛍光体を塗布、貼付等により設けてもよいほか、当該蛍光体そのものを補助誘引構造部１７としてもよい。
【００４８】
ところで、コントラスト強調部Ｃ１を表面に有する補助誘引構造部１７は、有しないものに比べて誘引効果が高くなることが一般的に知られている。例えば、特願２０１２−０４９８４２に係る「誘引装置、捕虫装置及び捕虫方法」では、昆虫が視覚的コントラストの急峻な部位、即ち視覚的なエッジに誘引されることが報告されている。この視覚的エッジは、紫外領域と別領域の波長とによるコントラスト、あるいは偏光方向が異なる２つの偏光によるコントラストとされている。また、このコントラストは、捕虫手段の中心に配置されるとものとされている。一方、本実施形態の捕虫器１１では、視覚的エッジは捕虫手段１４や主誘引光源１３には付与されず、昆虫Ｍを遠距離から誘引する刺激を与えるものとして、補助誘引構造部１７にのみ付与されている。
【００４９】
この視覚的エッジは、補助誘引構造部１７の構造上のエッジにより、構造部とその背景とによって自然に作出されるものではなく、補助誘引構造部１７である反射体あるいは蛍光体の表面上に作出されるものである。異なった光特性を持つ隣接した２つの領域Ｒ１，Ｒ２からなるコントラスト強調部Ｃ１としては、例えば、相対的に輝度が高い高輝度領域Ｒ１と、相対的に輝度が低い低輝度領域Ｒ２とを隣接させて配置したものがある。具体的には、反射率の異なる２つの素材を用いることでこのようなコントラスト強調部Ｃ１を付与することができる。なお、低輝度領域Ｒ２に用いる素材は、高輝度領域Ｒ１に用いる素材の５０％以下の平均反射率を持つものであることが好ましく、４０％以下の平均反射率を持つものであることがより好ましく、３０％以下の平均反射率を持つものであることが特に好ましい。このような視覚的エッジは、例えば、補助誘引構造部１７と主誘引光源１３とにおいて発する光Ｌ１，Ｌ２の波長の違いによっても、設けることができる。
【００５０】
このように構成された捕虫器１１では、主誘引光源１３及び捕虫手段１４は、装置外部から視認不能な状態で本体１２内部に配置されている。その一方で、補助誘引構造部１７は、本体１２における開口１６の外側かつ下方にて視認可能な状態で配置されている。図３に示されるように、主誘引光源１３の発する光Ｌ１は、本体１２の底面に設けた開口１６を経て補助誘引構造部１７の表面に照射される。そこで、反射された光Ｌ２は装置の前方及び左右方向に広く拡散され、その結果として光Ｌ２を見た昆虫Ｍが補助誘引構造部１７の方向に誘引される。なお、補助誘引構造部１７の表面にはコントラスト強調部Ｃ１が付与されているため、誘引力が弱めに設定されていたとしても、遠距離から昆虫Ｍを誘引することができる。この時点では、まだ昆虫Ｍは主誘引光源１３の発する光Ｌ１を直接的に視認することはできない。昆虫Ｍが補助誘引構造部１７の表面近傍に到ると、はじめて主誘引光源１３の発する光Ｌ１を直接的に視認することが可能となる。ここで、補助誘引構造部１７の発する光Ｌ２による誘引力は、主誘引光源１３の発する光Ｌ１による誘引力よりも低くなるように設定されていることから、次に昆虫Ｍは主誘引光源１３の発する光Ｌ１に誘引されて開口１６の方向に移動する。つまり、昆虫Ｍは補助誘引構造部１７の表面近傍に留まらずに、確実に本体１２内部に入り込み、主誘引光源１３の両側にある捕虫手段１４まで誘導された後、最終的にその捕虫手段１４によって捕獲される。
【００５１】
［第２の実施の形態］
以下、本発明を具体化した第２実施形態の捕虫器３１を図４に基づき詳細に説明する。なお、この捕虫器３１は、主として屋外で使用することを想定した吊り下げ式の捕虫器３１である。
【００５２】
図４に示されるように、この捕虫器３１は、本体３２、主誘引光源３９、捕虫手段３５等を備えている。本実施形態の本体３２は、ｙ軸を中心として放物線を回転させたときにできるような立体形状を有している。本体３２は内方に向かって凹んだ傾斜を持つ底面３３を有しており、その底面３３の中央部には昆虫Ｍが侵入可能な大きさの開口３４が設けられている。本実施形態の本体３２は汎用の合成樹脂材料を用いて形成されているが、光Ｌ１を確実に遮蔽することが可能なものであれば、金属、紙、木などの材料により形成されてもよい。本体３２の上端には吊り下げ用のフック４２が設けられており、このフック４２を用いて天井から垂らしたひも等に吊るすことができるようになっている。
【００５３】
本体３２における内部空間３６には、主誘引光源３９及び捕虫手段３５が外部から視認不能な状態で配置されている。本実施形態における主誘引光源３９は、例えば比較的小さい直流電源にて発光する小型のＬＥＤを用いて構成され、本体３２内の上部に設けられた光源配置部３７の下面側中央部に固定されている。一方、光源配置部３７の上面側には、この主誘引光源３９を点灯制御するための制御基板や電源などを含む電子機器ユニット３８が固定されている。主誘引光源３９は直下に位置する開口３４を向くようにして配置されており、３００ｎｍ〜７００ｎｍ程度の光Ｌ１をその方向に照射することができるようになっている。
【００５４】
本実施形態の捕虫器３１の場合、本体３２の内部空間３６のうち開口３４よりも下方にある領域が、乾式の捕虫手段３５として実質的に機能する部位となっている。即ち、捕虫手段３５として機能するこの部位は下方に行くに従って狭くなっており、開口３４から内部空間３６に入り込んだ昆虫Ｍにとって逃げ出しにくいものとされている。乾式の捕虫手段３５は、例えば電撃式のものように電力を必要としないので経済的であるというメリットがある。また、粘着式のものでは捕獲した昆虫Ｍに粘着剤が付着して損傷、死亡してしまう可能性があるが、乾式の捕虫手段３５では捕獲した昆虫Ｍを損傷させずに、生かしたまま維持することができるというメリットがある。もっとも、本体３２の内部空間３６に例えば粘着シートなどを配置し、粘着式の捕虫手段を構成しても勿論よい。この場合、粘着シート等の部材は、主誘引光源３９の発する光Ｌ１を遮らなければ、任意の位置に配置することができる。
【００５５】
この捕虫器３１は、主誘引光源３９に加えて補助誘引構造部４１を備えている。補助誘引構造部４１は本体３２における開口３４の外側かつ下方にて視認可能な状態で配置されている。本実施形態の補助誘引構造部４１は、斜め上方向を向いた傾斜面を表面に有するとともに、頂部が上を向くように配置された円錐体形状の部材である。補助誘引構造部４１の最大径は本体３２の最大径とほぼ等しくなっている。本体３２の底面３３と補助誘引構造部４１とは、接続部材４０によって互いに接続されている。本実施形態では、接続のために棒状をなす複数本の接続部材４０を用いているが、接続部材４０の形状や数は特に限定されず任意に変更することが可能である。また、この補助誘引構造部４１は、例えば合成樹脂等からなる基材の表面に光Ｌ１を反射可能な素材を貼付すること等により構成されている。
【００５６】
この補助誘引構造部４１は、異なった光特性を持つ隣接した高輝度領域Ｒ１及び低輝度領域Ｒ２からなるコントラスト強調部Ｃ１をその表面に有している。そして、補助誘引構造部４１が主誘引光源３９からの光Ｌ１によって受動的に発光し、その受動的な発光により昆虫Ｍを誘引するようになっている。この補助誘引構造部４１では、底部側にて水平方向に延びる帯状の低輝度領域Ｒ２が形成され、それよりも上側が高輝度領域Ｒ１となっている。高輝度領域Ｒ１の面積は低輝度領域Ｒ２の面積よりも大きく、ここでは例えば２〜４倍程度に設定されている。
【００５７】
この捕虫器３１では、補助誘引構造部４１の発する光Ｌ２による誘引力が、主誘引光源３９の発する光Ｌ１による誘引力よりも低くなるように設定されている。具体的には、高輝度領域Ｒ１の光強度を主誘引光源３９の光強度の１％以上８０％未満（好ましくは３０％〜４０％程度）に設定することで、両者の誘引力に差を持たせてある。なお、補助誘引構造部４１と主誘引光源３９とにおける誘引力の差は、上記第１実施形態において述べたように、補助誘引構造部４１と主誘引光源３９とにおいて発する光Ｌ１，Ｌ２の波長の違いによって設けることもできる。
【００５８】
このように構成された捕虫器３１では、主誘引光源３９及び捕虫手段３５は、装置外部から視認不能な状態で本体３２内部に配置されている。その一方で、補助誘引構造部４１は、本体３２における開口３４の外側かつ下方にて視認可能な状態で配置されている。図４（ｂ）に示されるように、主誘引光源３９の発する光Ｌ１は、本体３２の底面３３に設けた開口３４を経て補助誘引構造部４１の表面に照射される。そこで、反射された光Ｌ２は装置の周囲の３６０度全方位に広く拡散され、その結果として光Ｌ２を見た昆虫Ｍが補助誘引構造部４１の方向に誘引される。なお、補助誘引構造部４１の表面にはコントラスト強調部Ｃ１が付与されているため、誘引力が弱めに設定されていたとしても、遠距離から昆虫Ｍを誘引することができる。この時点では、まだ昆虫Ｍは主誘引光源３９の発する光Ｌ１を直接的に視認することはできない。昆虫Ｍが補助誘引構造部４１の表面近傍に到ると、はじめて主誘引光源３９の発する光Ｌ１を直接的に視認することが可能となる。ここで、補助誘引構造部４１の発する光Ｌ２による誘引力は、主誘引光源３９の発する光Ｌ１による誘引力よりも低くなるように設定されていることから、次に昆虫Ｍは主誘引光源３９の発する光Ｌ１に誘引されて開口３４の方向に移動する。つまり、昆虫Ｍは補助誘引構造部４１の表面近傍に留まらずに、確実に本体３２内部に入り込み、最終的に捕虫手段３５にて捕獲される。
【００５９】
［第３の実施の形態］
【００６０】
以下、本発明を具体化した第３実施形態の捕虫器５１を図５〜図７に基づき詳細に説明する。なお、この捕虫器５１は基本的には第２実施形態と同じ用途であって、いくつか共通する構成を備えているため、以下相違する構成を中心に説明する。
【００６１】
図５に示されるように、この捕虫器５１は、本体５２の内部空間３６に、主誘引光源３９、捕虫手段３５、電子機器ユニット（図示略）等を外部から視認不能な状態で配置したものである点で、上記第２実施形態と共通している。ところで、第２実施形態の本体３２は特に分離可能な構造を有するものではなかったが、本実施形態の本体５２は、主誘引光源３９が配置される光源側部分５３と、捕虫手段３５が配置される捕虫側部分５４とに分離交換可能な構造となっている。従って、例えば、主誘引光源３９や電子機器ユニットが故障等した場合や、電子機器ユニット中の電源が弱くなった場合などに、光源側部分５３を交換したり修理したりすることが可能となる。また、捕虫手段３５が汚損、劣化等した場合に、捕虫側部分５４を交換、洗浄、消毒等したりすることが可能となる。ゆえに、光源側部分５３と捕虫側部分５４とが分離不能な一体構造である場合に比べて、メンテナンスが容易になり、利便性も向上する。なお、この構成によれば、捕虫手段３５に捕獲されている昆虫Ｍを容易に取り出すことが可能となり、この点においても利便性が向上する。
【００６２】
また、補助誘引構造部４１が円錐体形状の部材である点、本体５２における開口３４の外側かつ下方にて視認可能な状態で配置されている点、異なった光特性を持つ隣接した高輝度領域Ｒ１及び低輝度領域Ｒ２からなる水平帯状のコントラスト強調部Ｃ１をその表面に有する点についても、本実施形態の捕虫器５１は上記第２実施形態と共通している。しかしながら、本実施形態ではコントラスト強調部Ｃ１を構成する低輝度領域Ｒ２の位置が第２実施形態のものよりも上にある点で相違している。
【００６３】
以下、本実施形態をより具体化した実施例を図６、図７に基づいて説明する。
【実施例】
【００６４】
本実施例では、吊り下げ式の捕虫器５１等を用いて、補助誘引構造部４１の配置による本体５２の内部への誘引効果と、補助誘引構造部４１へのコントラスト強調部Ｃ１の付与（視覚的エッジの付与）による誘引効果とを検証するための実験を行った。
ここでは、飛翔性の昆虫Ｍ（具体的には、ガの一種であって害虫であるイネヨトウ）を暗室内にて自由飛翔させて、以下の３つのタイプの捕虫器を用いて捕獲するようにした。図６に示されるように、「捕虫器３（実施例）」は基本的に図５に示す捕虫器５１と同等のものであって、主誘引光源３９と、表面にコントラスト強調部Ｃ１を付与した補助誘引構造部４１とを備えるものとした。これに対し、「捕虫器２（比較例２）」は、主誘引光源３９と、表面にコントラスト強調部Ｃ１を付与していない補助誘引構造部４１とを備えるものとした。「捕虫器１（比較例１）」は、主誘引光源３９を備える一方、補助誘引構造部４１を備えていないものとした。
【００６５】
主誘引光源３９としては、３７５ｎｍの光を発するチップ型の紫外ＬＥＤ（ナイトライドセミコンダクター社製、ＮＳ３７５Ｌ−６ＳＶＧ）を１灯用いることとした。反射によるコントラスト強調部Ｃ１を付与した補助誘引構造部４１は、直径１５ｃｍ、高さ１５ｃｍの円錐形として、その表面にデュポン株式会社製の高密度ポリエチレン不織布シートである「タイベック（登録商標；４００ＷＰ）」を貼り付けて光反射可能なものとした。また、円錐形の構造の下端から３ｃｍの位置に、タイベックの上から３ｃｍの幅をもつ黒色低反射の布（近江ベルベット株式会社製、布ハイミロン裏地ベンベルグタイプ１２（ただし「ベンベルグ」は旭化成せんい株式会社の登録商標））を水平帯状に貼り付けた。これにより水平方向に延びるコントラスト強調部Ｃ１を付与した。
【００６６】
次いで、暗室内にガを飛翔させる飛翔台を設置し、それを中心にして６０度の角度を保って３つの捕虫器を配置した（図６参照）。飛翔台は捕虫器の本体５２の下端の高さ（７０ｃｍ）と同じ高さとした。飛翔台から各捕虫器中心までの距離は９０ｃｍとした。飛翔台にガを１個体ずつ配置し、５分以内に飛翔したもののみを実験データとして用いた。飛翔しなかった個体は、時間を置いて再度使用した。飛翔台から飛翔するガは、赤外線暗視モードのビデオカメラで撮影し、個体の選択光源と内部侵入との様子を撮影した。このとき、捕虫器の周囲１０ｃｍの仮想的な枠内に侵入した場合を「誘引」、捕虫器の本体５２あるいは補助誘引構造部４１に接触した場合を「接触」、本体５２内の内部に侵入した場合を「捕獲」として、それぞれ頻度をカウントした。２つ以上の捕虫器が選択された場合には、両者ともにカウントするようにした。個体が一旦どこかに停止したときには観察を終了するものとした。ただし、殆どの場合、１分程度でガはどこかに付着して行動を停止した。そして、この実験では合計１２３個体のガの行動を観察し、捕虫器への誘引反応を１４４回、捕虫器への接触行動を６１回、捕虫器による捕獲を２２回観察した。
【００６７】
図７（ａ）〜（ｃ）は上記実験の結果を示すグラフである。図７（ａ）における縦軸は３つの捕虫器それぞれの誘引率（％）を示し、図７（ｂ）における縦軸は３つの捕虫器それぞれの接触率（％）を示し、図７（ｃ）における縦軸は３つの捕虫器それぞれの捕獲率（％）を示している。
【００６８】
誘引率に関しては、捕虫器１にて２０．１％、捕虫器２にて４２．２％、捕虫器３にて３７．５％となり、補助誘引構造部４１を持たない捕虫器１の誘引率が最も低くなった。また、補助誘引構造部４１を持つものにおいては、コントラスト強調部Ｃ１を付与していない捕虫器２のほうが、誘引率が高くなった。
【００６９】
一方、捕虫器本体５２及び補助誘引構造部４１に接触した個体の割合は、捕虫器１、２、３につき、それぞれ１３．１％、３７．７％、４９．２％となった。そして、コントラスト強調部Ｃ１を付与した捕虫器３のほうが、コントラスト強調部Ｃ１を付与していない捕虫器２よりも接触率が高くなった。また、補助誘引構造部４１を持たない捕虫器１の接触率は、これらのものよりも明らかに低くなった。
【００７０】
さらに、捕獲率に関しては、捕虫器１、２、３につき、それぞれ４．５％、３６．４％、５９．１％となり、同様に捕虫器３の捕獲率が最も高かった。
【００７１】
以上の結果から、捕虫器３の補助誘引構造部４１は、誘引及び捕獲において有効に機能することが実証された。また、補助誘引構造部４１はコントラスト強調部Ｃ１を付与しない場合でも誘引には寄与するものの、付与した場合には正確な定位を成立せしめることで、より近傍への接触及び捕獲部への誘導に効果を示すことが明らかとなった。
【００７２】
以下、本発明の各実施形態の捕虫器１１，３１，５１の効果について述べる。各実施形態の捕虫器１１，３１，５１によると、昆虫Ｍは、補助誘引構造部１７，４１の発する光Ｌ２によって、遠距離から補助誘引構造部１７，４１にまず引き寄せられる。すると、補助誘引構造部１７，４１の近傍に到った昆虫Ｍは、誘引力の高い光Ｌ１を発する主誘引光源１３，３９を視認することが可能となる。ゆえに、昆虫Ｍは、補助誘引構造部１７，４１から離れて、次に捕虫器１１，３１，５１の内部の主誘引光源１３，３９に引き寄せられた後、捕虫手段１４，３５により捕獲されることになる。これらの捕虫器１１，３１，５１では、捕虫手段１４，３５が外部にむき出しとなっていないことから、捕獲後の昆虫Ｍも捕獲される瞬間の昆虫Ｍも、利用者にとって視認されない。よって、利用者が不潔で不快な印象を抱くことはないという利点がある。
【００７３】
また、捕虫手段１４，３５が捕虫器１１，３１，５１の内部に配置されていることから、捕獲された昆虫Ｍが逃げ出したり、周囲に昆虫Ｍの死骸が飛び散ったりするリスクが低減される。
【００７４】
さらに、紫外領域を含む短波長の波長帯の光が使用されることが多い光源を、主誘引光源１３，３９として捕虫器１１，３１，５１の内部に配置したことで、捕虫器１１，３１，５１が存在することを人に認知されにくくすることができる。また、紫外線光源を直接見ることにより健康被害が生じるのではないかという心理的負担を軽減することができる。
【００７５】
ところで、このような捕虫器１１，３１，５１では、主誘引光源１３，３９自体が捕獲対象である昆虫Ｍからも視認されにくくなる。このため、捕獲性能が低下することが懸念され、補助誘引構造部１７，４１の誘引力をいかに高めるかが重要となるが、上記各実施形態ではそのために補助誘引構造部１７，４１の表面にコントラスト強調部Ｃ１を付与するものとしている。ちなみに、特願２０１２−０４９８４２では、昆虫Ｍが紫外と緑のエッジに誘引されやすいことが示されており、また他の文献では、昆虫Ｍは明暗のエッジに対しても誘引されることが様々な種類の昆虫Ｍで報告されている。補助誘引構造部１７，４１の平面あるいは緩やかな曲面に配置された視覚的なエッジは、近くに寄るほど検出が困難になる。それゆえ、誘引された昆虫Ｍに対して誘導の手がかりとしての機能を失うことから、補助誘引構造部１７，４１に対する昆虫Ｍの定着を促すものではない。また、主誘引光源１３，３９と視覚的エッジを含めた補助誘引構造部１７，４１には誘引力の差が存在することから、昆虫Ｍは補助誘引構造部１７，４１に定着せずに、速やかに主誘引光源１３，３９の方向に誘導されることができる。
【００７６】
従って、このような捕虫器１１，３１，５１を利用することで、工場や一般家庭では、飛翔性の侵入害虫の密度を低下させることが可能となる。それにより、殺虫や防虫のための化学物質の利用を低減させることができる。また、農業現場では捕虫器１１，３１，５１の利用により、農家の防除コスト軽減や労力軽減が図られる。例えば、キャベツ栽培においては、コナガ、ヨトウムシ、ハスモンヨトウなどのガ類害虫の防除を１作あたり１０回程度行うが、捕虫器１１，３１，５１を発生予察に用いることで、初期の３回の散布を省略することが可能になると予想される。
【００７７】
なお、本発明の各実施の形態は以下のように変更してもよい。
【００７８】
・吊り下げ式の捕虫器３１，５１における本体３２，５２の形状は第２及び第３実施形態のようなものに限定されるわけではなく、例えば、図８（ａ）〜（ｄ）に示す別の実施形態の捕虫器７１Ａ〜７１Ｄにおける本体７２のような円柱状であってもよい。なお、図８（ａ）に示す捕虫器７１Ａの補助誘引構造部４１Ａには、第２実施形態のものと同じパターンのコントラスト強調部Ｃ１が、反射率の異なる２つの素材によって付与されている。例えばこのパターンは以下のように変更してもよい。図８（ｂ）に示す捕虫器７１Ｂの補助誘引構造部４１Ｂでは、水平方向に延びる一定幅かつ帯状の低輝度領域Ｒ２を３つ配置したパターンを採用している。図８（ｃ）に示す捕虫器７１Ｃの補助誘引構造部４１Ｃでは、頂部を中心として放射状に延びる低輝度領域Ｒ２を複数箇所に配置したパターンを採用している。なお、帯状の低輝度領域Ｒ２の延びる方向は水平方向や垂直方向に限らず、斜め方向であってもよい。また、帯状の低輝度領域Ｒ２は直線的なものに限らず、曲線的なものであってもよい。図８（ｄ）に示す捕虫器７１Ｄの補助誘引構造部４１Ｄでは、円形状の低輝度領域Ｒ２を複数箇所にて散点的に配置したパターンを採用している。なお、円形状に代えて三角形状や四角形状などにしてもよい。
【００７９】
・上記第２実施形態における吊り下げ式の捕虫器３１では、複数本の棒状の接続部材４０によって本体３２と補助誘引構造部４１とを接続していたが、これに限定されない。例えば、図９に示す別の実施形態の捕虫器９１のように、変形自在な吊下部材である糸９２を用いてこれら部材同士を接続してもよい。具体的にいうと、捕虫器９１において、糸９２の上端側は光源配置部３７の下面側にて中央部を避けた位置に繋がれている。一方、開口３４を介して下方に到った糸９２の下端側は、補助誘引構造部４１の頂部に繋がれている。従って、フック４２を用いて捕虫器９１を設置したときには、糸９２が伸びた状態となって補助誘引構造部４１が吊り下げられ、本体３２における開口３４の外側かつ下方に配置された状態となる（図９（ａ）参照）。一方、捕虫器９１を取り外したときには糸９２が緩んだ状態となるため、捕虫器９１を上下方向に縮めることができ、不使用時にコンパクトな形態とすることができる（図９（ｂ）参照）。
【００８０】
・図１０（ａ），（ｂ）に示す別の実施形態の捕虫器１１１では、主誘引光源１１５を配置可能な光源側部分１１３と、捕虫手段３５を配置可能な捕虫側部分１１４とに分離交換可能な本体１１２を備えたものとなっている。光源側部分１１３の上端部には、例えば発光部１１８を先端に有する主誘引光源１１５（例えば市販品のライト等）を着脱可能に取り付けるための挿入孔が設けられている。捕虫側部分１１４における上端には、中央部に貫通孔１１６を有する板状の光源配置部１１７が配設されている。図１０（ｂ）に示す使用時には、本体１１２の内部に配置された発光部１１８が外部から視認不能な状態で固定される。また、その発光部１１８の発する光Ｌ１が貫通孔１１６及び開口３４を介して補助誘引構造部４１に照射されるようになる。そして、このような構造の捕虫器１１１では、例えば、主誘引光源１１５が故障等した場合に、光源側部分１１３全部ではなく主誘引光源１１５のみを交換することができるようになる。また、捕虫手段３５が汚損、劣化等した場合には、捕虫側部分１１４を交換することが可能となる。さらに、このような構造であると、市販品のライトを流用して主誘引光源１１５とすることも可能となり、利便性が向上する。
【００８１】
・図１１（ａ）に示す別の実施形態の捕虫器１３１のように、開口３４の周縁に折り返し部１３２を形成してもよい。また、図１１（ｂ）に示す別の実施形態の捕虫器１５１のように、昆虫Ｍが通過できる程度の孔を有するメッシュ部材１５２を開口３４に設けてもよい。これらの構成を採用した場合、捕獲された昆虫Ｍが逃げ出しにくくなるというメリットがある。なお、メッシュ部材１５２を構成する素材は任意に選択されうるが、光Ｌ１を通過させることができる透明な素材であることが好ましい。
【００８２】
・図１２に示す別の実施形態の捕虫器１７１のように、上記第１実施形態の捕虫器１１で用いた補助誘引構造部１７とは異なる形状の補助誘引構造部１７２を採用してもよい。即ち、図３に示す縦断面において第１実施形態の補助誘引構造部１７は表面が平坦なものであったが、この捕虫器１７１の補助誘引構造部１７２は表面が湾曲した凹面状になっている。従って、この捕虫器１７１の場合には、誘引のための光Ｌ２の装置前方への指向性を高めることができる。
【００８３】
・上記第１実施形態では開口１６を本体１２の底部に設けた構造を採用したが、例えば図１３に示す別の実施形態の捕虫器１９１のように、開口１６を本体１２の上部に設けたものとしてもよい。
【００８４】
・上記第１実施形態の補助誘引構造部１７や上記別の実施形態の補助誘引構造部１７２は、立体的な形状を有するものであったが、これに限定されない。例えば、図１４に示す別の実施形態の捕虫器２１１のように、単なる平板状（舌状）の補助誘引構造部２１２を用い、これを装置直下に突出させるように配置してもよい。
【００８５】
・上記各実施形態では、いずれも主誘引光源の光Ｌ１に基づいて受動的に光Ｌ２を発する補助誘引構造部を採用したが、例えば、自身のなかに何らかの発光手段を有していて、主誘引光源に依存せず能動的に光ることが可能な補助誘引構造部を採用してもよい。
【００８６】
・例えば上記第１実施形態の捕虫器１１等は、本体１２内に内部電源を持つものとしたが、例えば内部電源を持たず外部電源を利用して主誘引光源１３を発光させるものとしてもよい。この場合、本体１２から外部電源供給部（例えばコンセント挿入部）を突出させておく等の構造を採用すればよい。内部電源を持たない構成の利点は小型化等に向くことである。一方、内部電源を持つ構成の利点は外部電源のない屋外などでも使用できることである。
【符号の説明】
【００８７】
１１，３１，５１，７１Ａ，７１Ｂ，７１Ｃ，７１Ｄ，９１，１１１，１３１，１５１，１７１，１９１，２１１…捕虫器
１３，３９，１１５…主誘引光源
１４，３５…捕虫手段
１７，４１，４１Ａ，４１Ｂ，４１Ｃ，４１Ｄ…補助誘引構造部
３２，５２，７２…本体
３３…（本体の）底面
３４…開口
５３、１１３…光源側部分
５４，１１４…捕虫側部分
１１７…光源配置部
１１８…発光部
Ｃ１…コントラスト強調部
Ｍ…昆虫
Ｒ１…（高輝度）領域
Ｒ２…（低輝度）領域
【図１】
0006699962.tif 000002
【図２】
0006699962.tif 000003
【図３】
0006699962.tif 000004
【図４】
0006699962.tif 000005
【図５】
0006699962.tif 000006
【図６】
0006699962.tif 000007
【図７】
0006699962.tif 000008
【図８】
0006699962.tif 000009
【図９】
0006699962.tif 000010
【図１０】
0006699962.tif 000011
【図１１】
0006699962.tif 000012
【図１２】
0006699962.tif 000013
【図１３】
0006699962.tif 000014
【図１４】
0006699962.tif 000015